(57)【要約】【課題】主錠と補助錠とを容易に施錠可能であるとともに、主錠が解錠されても補助錠の施錠状態が維持可能な連動機構を備えた開口部装置を提供する。【解決手段】主錠４０と、補助錠４５と、該主錠と該補助錠とに渡して設けられた連動機構５０とを備えた開口部装置１において、連動機構に設けられ主錠の施解錠動作に追随して移動又は回動可能に取り付けられた主錠側連動部６０と、連動機構に設けられ、移動又は回動可能に配置されて補助錠を施解錠動作させる補助錠側連動部６５と、主錠側連動部と、補助錠側連動部とに渡して取り付けられた環状であるワイヤ５１ｂとを備え、連動機構が、主錠の施錠操作を介して補助錠の施錠を可能とする連動状態と、主錠又は補助錠の解錠操作を介しても他方の主錠又は補助錠の解錠が不可能である非連動状態とを自動的に切り替え可能とする。【選択図】図２
2007107270.tif 000002
【特許請求の範囲】
【請求項１】
主錠と、補助錠と、該主錠と該補助錠とに渡して設けられた連動機構と、を備えた開口部装置であって、
前記連動機構に設けられ、前記主錠の施解錠動作に追随して移動又は回動可能に取り付けられた主錠側連動部と、
前記連動機構に設けられ、移動又は回動可能に配置されて前記補助錠を施解錠動作させる補助錠側連動部と、
前記主錠側連動部と、前記補助錠側連動部とに渡して取り付けられた環状であるワイヤと、を備え、
前記連動機構が、前記主錠の施錠操作を介して前記補助錠の施錠を可能とする連動状態と、前記主錠又は前記補助錠の解錠操作を介しても他方の前記主錠又は前記補助錠の解錠が不可能である非連動状態とを自動的に切り替え可能であることを特徴とする開口部装置。
【請求項２】
前記補助錠側連動部が、
円筒状で、開口された端面の少なくとも２箇所から該円筒状の半径方向内側に向けて取り付けられた板材である被係合板を有するケースと、
前記ケースの内側に配置された円筒であり、該円筒の内側側壁には少なくとも２つの窪みを有し、外側側壁には外周に沿った前記ワイヤが掛けられる溝が設けられた補助錠側回転子と、
前記補助錠側回転子の内側に配置され、該補助錠側回転子とは同軸で独立して回動可能な円板で、該円板に立設された２つの係合壁を有し、前記窪みに係合離脱可能である突起が設けられ、さらに前記被係合板と係合離脱可能である係合板が取り付けられた内側回転子とを備えるとともに、
前記補助錠が、２つの前記係合壁の間に配置される棒を備え、
前記棒と前記係合壁とが係合するとともに前記窪みと前記突起とが係合し、かつ、前記係合板と前記被係合板とが離脱しているときに前記主錠と前記補助錠とが連動し、
前記棒と前記係合壁とが離脱しているとき、又は前記窪みと前記突起とが離脱し前記内側回転子あるいは前記補助錠側回転子のみが回動したときには前記主錠と前記補助錠とが連動しないことを特徴とする請求項１に記載の開口部装置。
【請求項３】
前記補助錠を室内から押圧可能に配置されるとともに、室内側に一端が設けられた棒材である補助錠解錠棒を備え、
前記補助錠解錠棒により前記補助錠を押圧して該補助錠が解錠可能であることを特徴とする請求項１又は２に記載の開口部装置。
【発明の詳細な説明】
【技術分野】
【０００１】
本発明は、住宅やオフィス、公共施設等の建物の開口部に備えられる開口部装置に関し、詳しくは、施錠については主錠と補助錠とが連動し、解錠については主錠と補助錠とが連動しない連動機構を備えた開口部装置に関する。
【背景技術】
【０００２】
わが国は世界に冠たる治安の安定した国であるが、一方で、賊が住宅に侵入して金品を奪い去るという犯罪も後を絶たない。かかる賊が住宅内に侵入する手口で最も多いのは、テラス出入り口など、住宅開口部のガラスパネルが嵌め込まれた障子を破って、室内側に手を差し入れて、クレセント錠などを解錠するというものである。
【０００３】
これに対して、従来において図１８に示したように開口部の錠として主錠２４０（メインロック）に加えて補助錠２４５（サブロック）を設けて対応している場合がある。
【０００４】
また、特許文献１には、使用者の利便性を向上させることを目的に、主錠とは別にリモコンにより作動される補助錠を設けた引き違い戸の構造が開示されている。
【０００５】
さらに、特許文献２では、主錠の動きに連動して施錠解錠が行われるサッシの構造が開示されている。
【０００６】
加えて、特許文献３には、錠のクレセント中に螺状に動く作動板による施錠確認表示機能付クレセントが開示されている。
【特許文献１】特開２００２−３６４２１８号公報
【特許文献２】特開２００４−５２３０８号公報
【特許文献３】実用新案登録第２５２１７５１号公報
【発明の開示】
【発明が解決しようとする課題】
【０００７】
しかし、図１８に示した主錠２４０、補助錠２４５では施錠時に主錠２４０と補助錠２４５とを別々に操作しなければならず、使用者の操作が煩雑となる問題があった。また、特許文献１に開示されている構造においても、リモコンによる施錠とクレセントによる施錠とを別々に行わなければならず同様の問題があった。
【０００８】
また、特許文献２に開示されている構造では、施錠は連動してはいるが、賊がガラスを破って室内に手を入れることができる状態になると、主錠と補助錠とが連動して解錠できるので、この様な場合の対応には無力であるという問題もあった。特許文献３に開示されている構造では、クレセントの回動により自動で施錠の確認が可能であるが、補助錠との関連はなく、主錠、補助錠という意味での防犯性向上にはならないという問題があった。
【０００９】
そこで、本発明は、主錠と補助錠とを容易に施錠可能であるとともに、主錠が解錠されても補助錠の施錠状態が維持可能な連動機構を備えた開口部装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１の発明は、主錠（４０）と、補助錠（４５）と、該主錠と該補助錠とに渡して設けられた連動機構（５０）とを備えた開口部装置（１）であって、連動機構に設けられ主錠の施解錠動作に追随して移動又は回動可能に取り付けられた主錠側連動部（６０）と、連動機構に設けられ、移動又は回動可能に配置されて補助錠を施解錠動作させる補助錠側連動部（６５）と、主錠側連動部と、補助錠側連動部とに渡して取り付けられた環状であるワイヤ（５１ｂ）とを備え、連動機構が、主錠の施錠操作を介して補助錠の施錠を可能とする連動状態と、主錠又は補助錠の解錠操作を介しても他方の主錠又は補助錠の解錠が不可能である非連動状態とを自動的に切り替え可能であることを特徴とする開口部装置を提供することにより前記課題を解決する。
【００１２】
ここに、請求項１に記載の連動機構（５０）は、主錠（４０）及び補助錠（４５）を機械的な構造を介して連動させることを指しており、電気的な制御により連動させる手段は含まない概念である。また、主錠の機械的操作とは、例えば、前後動や上下動、回動による操作を意味している。さらに本発明にかかる主錠の操作手段の形態は特に限定されるものではなく、その具体的な形態としては、例えば回動操作が可能なクレセント形態を挙げることができる。加えて補助錠の形態も特に限定されるものではなく、例えば一方の框から突出して他方の框へ係合する形態を挙げることができる。
【００１３】
請求項２に記載の発明は、請求項１に記載の開口部装置（１）の補助錠側連動部（６５）が、円筒状で、開口された端面の少なくとも２箇所から該円筒状の半径方向内側に向けて取り付けられた板材である被係合板（９４、９４）を有するケース（９０）と、ケースの内側に配置された円筒であり、該円筒の内側側壁には少なくとも２つの窪み（８４、８４）を有し、外側側壁には外周に沿ったワイヤ（５１ｂ）が掛けられる溝（８６）が設けられた補助錠側回転子（８０）と、補助錠側回転子の内側に配置され、該補助錠側回転子とは同軸で独立して回動可能な円板（７２）で、該円板に立設された２つの係合壁（７４、７４）を有し、窪みに係合離脱可能である突起（７７）が設けられ、さらに被係合板と係合離脱可能である係合板（７９）が取り付けられた内側回転子（７０）とを備えるとともに、補助錠（４５）が２つの係合壁の間に配置される棒（４５ａ）を備え、棒と係合壁とが係合するとともに窪みと突起とが係合し、かつ、係合板と被係合板とが離脱しているときに主錠（４０）と補助錠とが連動し、棒と係合壁とが離脱しているとき、又は窪みと突起とが離脱し内側回転子あるいは補助錠側回転子のみが回動したときには主錠と補助錠とが連動しないことを特徴とする。
【００１４】
請求項３の発明は、請求項１又は２に記載の開口部装置（１）が、補助錠（４５）を室内から押圧可能に配置されるとともに、室内側に一端が設けられた棒材である補助錠解錠操作棒（１０２）を備え、補助錠解錠棒により補助錠を押圧して該補助錠が解錠可能であることを特徴とする。
【発明の効果】
【００１５】
請求項１に記載の発明によれば、主錠の施錠操作のみで主錠と補助錠とを容易に施錠することが可能になり、加えて、主錠又は補助錠が解錠されても他方である主錠又は補助錠は施錠状態が維持される開口部装置を提供することができる。これは、連動機構により自動的に選択されるので使用者の利便性を向上しつつ防犯性にも優れた開口部装置とすることが可能である。また、この連動機構は電気的制御を要しないので、コストを低く抑えることが可能であり、停電や電池切れといった不具合も生じない。これにより使用者にとって利得の高い開口部装置にもなる。
【００１６】
請求項２に記載の発明によれば、より簡易な構造である連動機構が構成され、施錠時には主錠と補助錠とを容易に連動させることができ、かつ、解錠時には主錠と補助錠とを非連動とすることが可能な開口部装置を提供することができる。
【００１７】
請求項３に記載の発明によれば、補助錠の解錠手段が室外視からは死角とされているので、賊等に補助錠を存在を気付かせないため、防犯性の高い開口部装置とすることが可能となる。
【００１８】
本発明のこのような作用及び利得は、次に説明する発明を実施するための最良の形態から明らかにされる。
【発明を実施するための最良の形態】
【００１９】
以下、本発明を図面に示す実施形態に基づき説明する。
【００２０】
図１は、１つの実施形態にかかる本発明の開口部装置１の室内側斜視図である。開口部装置１は、ガラスパネル２５、３５が嵌め込まれた樹脂アルミ複合サッシを使用した障子２０、３０を引き違い窓として構成したものである。開口部装置１は、不図示の建物の開口部に沿って取り付けられる枠体１０と、該枠体１０の内側に枠体１０内を移動可能に配置された内障子２０と外障子３０とを備えている。枠体１０は、上枠１１と、下枠１２と、縦枠１３、１４とが組み合わされて形成されている。また、内障子２０は、ガラスパネル２５と、該ガラスパネル２５の四辺の端部に沿って配置された上框２１と、下框２２と、縦框２３、２４とを備えている。さらに縦框２４には不図示の引き手が取り付けられている。外障子３０との召し合せ框である縦框２３（以下において、「室内側の召し合せ框２３」と記述することがある。）の鉛直方向略中央部には主錠としてのクレセント４０（以下において、「主錠４０」と記述することがある。）が取り付けられている。主錠４０には、縦框２３の内側から連動機構５０（図２参照）の一端が取り付けられている。加えて該連動機構５０の他端部には、補助錠４５（図２参照）が配置されている。また、縦框２３の室内側面には、補助錠解錠棒１０２の一端が露出して配置されている。連動機構５０等、縦框２３に備えられる各構成については後で詳しく説明する。
【００２１】
一方、外障子３０は、ガラスパネル３５と、該ガラスパネル３５の四辺の端部に沿って配置された上框３１と、下框３２と、縦框３３、３４とを備えている。縦框３３には不図示の引き手が取り付けられている。縦框３４（以下において、「室外側の召し合せ框３４」と記述することがある。）は室内側の召し合せ框２３と召し合っており、縦框３４には主錠４０と係合する係合部３６（図３参照）が設けられている。
【００２２】
図２は、図１における室内側の召し合せ框２３のうち主錠４０が備えられた部位から下の部分を拡大し、室内側から見た斜視図である。図２には縦框２３の内側に備えられた連動機構５０及び補助錠４５を模式的に破線で示している。縦框２３には、主錠４０と、補助錠４５と、連動機構５０とが備えられている。主錠４０はさらに、該主錠４０を框２３に取り付けるための台座４３と、該台座４３に回動可能に取り付けられ後述の係合部３６（図３参照）と係合する掛止部４１と、該掛止部４１を回動操作するハンドル４２とを備えている。主錠４０は、掛止部４１を係合部３６（図３参照）に係合させることにより施錠され、離脱させることにより解錠される。
【００２３】
補助錠４５は縦框２３の内側で下部に設けられ、後述する連動機構５０、及び補助錠解錠棒１０２により操作される。補助錠４５は、障子２０の移動方向を厚さ方向とする板状の部材で、縦框２３の室外側面に設けられた不図示のスリットから突没可能とされている。そして、縦框２３から突出した姿勢で障子３０の縦框３４に設けられた錠受け部３７（図３参照）に係合して補助錠４５の施錠状態となる。一方、補助錠４５の全部が縦框２３の内側に配置された姿勢で、障子３０の縦框３４に設けられた錠受け部３７（図３参照）から離脱して補助錠４５の解錠状態となる。
【００２４】
連動機構５０は、縦框２３の内側で、主錠４０と補助錠４５とを渡すように設けられている。連動機構５０については後で詳しく説明するが、連動機構５０は、主錠４０側に備えられた主錠側連動部である主錠側回転子６０（以下、単に「主錠側回転子６０」と記述することがある。）と、補助錠４５側に備えられた補助錠側連動部６５と、主錠側回転子６０と補助錠側連動部６５とに掛け渡されて配置されたワイヤ５１ｂとを備えている。この連動機構５０により施錠時には主錠４０と補助錠４５とが連動し、解錠時には連動せず主錠４０と補助錠４５とを個別に解錠する必要がある。
【００２５】
さらに、縦枠２３の内側には、一端を該縦枠２３から室内に露出して配置された、補助錠解錠棒１０２が備えられている。該補助錠解錠棒１０２については後で説明するが、補助錠解錠棒１０２により個別に解錠操作が必要である主錠４０及び補助錠４５のうちの補助錠４５の解錠操作を行う。この補助錠解錠棒１０２は室外視からは死角とされて配置されているので、賊等に補助錠４５の存在を気付かせず、不正な解錠に手間がかかり防犯性に優れる開口部装置１を提供することができる。
【００２６】
以上により施錠における使用者の利便性と、解錠における防犯性を兼ね備えた開口部装置１を提供することが可能となる。
【００２７】
図３は、図１における室外側の召し合せ框３４のうち係合部３６が備えられた部位から下の部分を拡大し、室内側から見た斜視図である。縦框３４には、図２に示した主錠４０と係合する係合部３６と、補助錠４５が差し込まれる溝である錠受け部３７とが設けられている。上述したように、開口部装置１では、縦框２３内に設けられた補助錠４５が、縦框３４に設けられている錠受け部３７に差し込まれ、室内外の縦框２３、３４の移動を禁止することで、補助錠４５による施錠が行われる。
【００２８】
次に、連動機構５０が備える部材について説明する。図４は、連動機構５０の分解斜視図である。図４は縦框２３のガラスパネル２５側（図２参照）で下方から見た図である。連動機構５０は、主錠側回転子６０と、補助錠側連動部６５と、ワイヤ５１ｂとを主要部材として備えている。また、補助錠側連動部６５は、さらに内側回転子７０と、補助錠側回転子８０と、ケース９０とを備えている。以下に各部材の構造を説明する。図４においては、上述のように縦框２３のガラスパネル２５側（図２参照）で下方から見た図であるので、主錠側回転子６０の奥（紙面右側）には主錠４０が配置され、内側回転子７０の手前（紙面左側）には補助錠４５が備えられる。
【００２９】
主錠側回転子６０は、円柱状の部材で中心軸に沿って貫通孔６１を備えている。また、円柱状である一端面から他端面に向けて孔６２を有するとともに外周面に溝６３が刻設されている。
【００３０】
補助錠側連動部６５の内側回転子７０は、中心に貫通孔７１を有する円板７２の一方の板面にいくつかの部材が配置されたものである。図５に内側回転子７０の拡大斜視図を示す。内側回転子７０は、円板７２と、円筒７３と、係合壁７４、７４と、を備えている。円板７２は中心に貫通孔７１を有し、円筒７３は、該貫通孔７１の外周に沿って円板７２の一方の板面に立設された円筒状の部材である。係合壁７４、７４は、円筒７３の側面から円板７２の半径方向に延在する２つの壁である。さらに、内側回転子７０は、アーム７６と、突起７７と、部材７８と、係合板７９とを備えている。アーム７６は、円板７２の外周の一部に沿って、該円板７２の円筒７３が備えられた側と同じ板面に備えられた部材である。また、突起７７は、アーム７６の先端に設けられ、円板７２よりも半径方向外側に突出して配置されたものである。ここでアーム７６は、その一部を円板７２に板面に固定されているが、他の部分は固定されていない。そして固定されていない側の端部に突起７７が配置されている。従って、突起７７はアーム７６の弾性変形により円板７２の略半径方向に移動可能とされている。そしてこの移動にともなうアーム７６の変形時には突起７７が定位置に戻るように付勢される。
【００３１】
部材７９は、円板７２の外周の一部に沿って、該円板７２の円筒７３が設けられた側と同じ板面に立設された部材で、係合板７９は、該部材７８の上面に一端を取り付けられ、他端を円板７２の半径方向外側に突出して配置された板である。
【００３２】
次に補助錠側回転子８０について説明する。図６に補助錠側回転子８０の拡大斜視図を示す。補助錠側回転子８０は、全体として一方の端面が閉鎖された円筒状の部材であり、底板８２と、側壁８３とを備えている。底板８２には、その中心に貫通孔８１が設けられている。側壁８３の内側面には、側壁８３の厚み方向に２つの窪み８４、８４が配置され、側壁８３の外周面には、その外周に沿って一本の溝８６が刻設されている。
【００３３】
ケース９０について説明する。図７にケース９０の拡大斜視図を示した。ケース９０は、全体として円筒状である部位と、該円筒状である部位の側面から延設された矩形の筒状体とにより形成されている。詳しくはケース９０は、底板９２と、側壁９３、９３、９３と、被係合板９４、９４と、ワイヤ貫通部９６とを備えている。底板９２は、略円板状の板材で、その中心に貫通孔９１を備えている。側壁９３、９３、９３は、底板９２の一方の面の外周上沿って立設された部材である。被係合板９４、９４は、側壁９３、９３、９３の間に立設された板材で、底板９２に接合されていない端部は底板９２の半径方向内側に折り曲げられた部位を有している。ワイヤ貫通部９６は断面が矩形の筒状体で、一端が側壁９３、９３及び底板９２に取り付けられている。ワイヤ貫通部９６の内側と、側壁９３、９３、９３で囲まれた部位とは連通している。
【００３４】
図４に戻り、さらに連動機構５０に備えられる部材について説明する。連動機構５０はワイヤ５１ｂを備えている。ワイヤ５１ｂは環状に形成された線材である。
【００３５】
連動機構５０は以上の部材を備えている。これら部材の構成からもわかるように本発明の開口部装置１に備えられる連動機構５０は機械的な部材により構成され、電気的に動作する部材を含まない。これにより確実に動作し、低コストである連動機構５０を備えた開口部装置１を提供することができる。各部材の組み立てについては後で説明する。
【００３６】
次に、連動機構５０の補助錠側連動部６５に取り付けられる補助錠４５について説明する。図８に補助錠４５の斜視図を示す。補助錠４５は、細長い板状の部材で、その略中央で、一方の面に立設された棒４５ａを有している。また、一つの端部には棒４５ａと同じ方向に延在する被操作板４５ｂが備えられている。
【００３７】
連動機構５０及び補助錠４５の組み立て、及びその主錠４０への取り付けは例えば以下のように行われる。図９は、組み立てられた連動機構５０、補助錠４５及び補助錠解錠棒１０２等の部材を示す平面図である。図９では、紙面奥が主錠４０側、紙面手前がガラスパネル２５側を示し、ガラスパネル２５側からみている（図２参照）。従って、紙面左が室内側、紙面右が室外側となる。また、図９では、理解容易のために適宜部材を透視し、補助錠４５、ワイヤ５１ｂ及び補助錠解錠棒１０２の一部は破線で示している。ここでは図４及び図９を参照しつつ説明をする。
【００３８】
図４及び図９の上部に示した主錠側回転子６０は、主錠４０に配置されるが、このとき図４の上部に示した座金１１０を介して主錠に取り付けられる。座金１１０は、円板状の部材で貫通孔１１２が設けられた回転板１１１と、該回転板１１１の側面から主錠側回転子６０側に延在する係合棒１１３とを備えている。主錠４０の掛止部４１の回転軸に座金１１０の貫通孔１１２が取り付けられ、さらに座金１１０の係合棒１１３が主錠側回転子６０の孔６２に差し込まれて配置される。従って、主錠側回転子６０は主錠４０の回転軸には直接取り付けられてはいないが、係合棒１１３を介して主錠４０の回動に追随して回動するように配置されている。
【００３９】
補助錠側連動部６５及び補助錠４５の組み立ては、以下のようにおこなわれる。補助錠側回転子８０の円筒状である内側に内側回転子７０が配置される。このとき内側回転子７０の突起７７が補助錠側回転子８０の窪み８４、８４のうちのいずれかに配置される。また、内側回転子７０の係合板７９は、補助錠側回転子８０の端面の外側（ガラスパネル２５側、図９において紙面手前側。）に配置される。次に内側回転子７０が嵌めこまれた補助錠側回転子８０が、ケース９０の側壁９３、９３、９３の内側にはめ込むように配置される。このときケース９０の被係合板９４、９４が補助錠側回転子８０の外側（ガラスパネル２５側、図９において紙面手前側。）に配置される。この被係合板９４、９４は、内側回転子７０の係合板７９の回動の軌道上にあり、被係合板９４、９４と、係合板７９とは所定の姿勢で係合可能であるように設置されている。補助錠側連動部６５の各部材は、不図示の共通の軸をそれぞれの貫通孔７１、８１、９１に備え、同軸で回動可能とされている。しかし、該軸は内側回転子７０及び補助錠側回転子８０の回動を連動させるものではなく、該軸によっては内側回転子７０及び補助錠側回転子８０連動して回動しない。各部材の回動の連動、非連動については後で詳しく説明する。
【００４０】
補助錠側連動部６５は、図９に示した基板５３を介して縦框２３の内側に配置される。
【００４１】
ワイヤ５１ｂは、主錠側回転子６０と、補助錠側回転子８０とに掛け渡されて配置される。従って、主錠側回転子６０と、補助錠側回転子８０とは常に連動して回動する。ワイヤ５１ｂは、組み立てられる際には、図９に示したようにワイヤカバー５１ａに入れられており、ワイヤカバー５１ａとワイヤ５１ｂとでワイヤ部５１を形成している。ワイヤ部５１の補助錠側連動部４５側の端部は、ケース９０のワイヤ貫通部９６の筒状である内側に配置されている。
【００４２】
補助錠４５は、内側回転子７０のガラスパネル２５側（図２参照、図９において紙面手前側）に配置される。このとき補助錠４５の棒４５ａが内側回転子７０における２つの係合壁７４、７４の間に配置される。また、補助錠４５は、補助錠側回転子８０及び内側回転子７０と同軸で回動するように不図示の共通の軸が通されている。ただし該軸によっては連動して回動することがないように構成されている。
【００４３】
さらに図９に示したように、補助錠側連動部６５の下部で室内側（紙面左側）には、補助錠解錠棒１０２が設けられている。補助錠解錠棒１０２は、室内外方向に水平に配置された棒材で、室内外方向に移動可能にカバー１０１の内側に納められている。そして補助錠解錠棒１０２は室内側に付勢され、該付勢に抗して室外側に移動させるとその移動線上に補助錠４５の被操作板４５ｂがあるように配置されている。カバー１０１は縦框２３の室内側に設けられた孔に取り付けられており、これにより補助錠解錠棒１０２の室内側端部は室内側に露出して配置される。しかし、この部位は、室外側からは死角となる位置とされており、室外側からは補助錠解錠棒１０２を視認することはできない。これにより、防犯性に優れた開口部装置１を提供することが可能となる。
【００４４】
以上のような各部材の配置により、主錠４０と補助錠４５との施錠を連動し、解錠を非連動とする連動機構５０を備えた開口部装置１を提供することができる。
【００４５】
次に連動、被連動における各部の動作について図１０〜図１２を参照しつついくつかの場合に分けて説明する。図１０〜図１２は、図９のうち補助錠側連動部６５の部分を拡大し、理解容易のため一部部位を省略して示した正面図である。従って、図１０〜図１２の各図では、紙面手前がガラスパネル２５側、紙面左が室内側、紙面右が室外側である。
【００４６】
図１０（ａ）のように配置された補助錠側連動部６５について、主錠４０が操作される等して図１０（ｂ）に示したように、図中にＡ１で示したように紙面左側のワイヤ５１ｂが上方に、図中にＢ１で示したように紙面右側のワイヤ５１ｂが下方に移動すると、これに連動して補助錠側回転子８０が図中にＣ１で示したように時計回りに回動する。このとき内側回転子７０の突起７７が補助錠側回転子８０の一方の窪み８４に係合されており、内側回転子７０も連動して回動する。一方、補助錠４５の棒４５ａは、内側回転子７９の係合壁７４、７４の間を移動するのみであるので、補助錠４５は回動しない。さらに図１０（ｃ）の、図中にＡ２で示したように紙面左側のワイヤ５１ｂが上方に、図中にＢ２で示したように紙面右側のワイヤ５１ｂが下方に移動すると、補助錠側回転子８０、及び内側回転子７０が図中にＣ２で示したように時計回りに回動する。このときには、補助錠４５の棒４５ａが一方の係合壁７４に引っ掛かるように係合しているので、補助錠４５が図中にＤ２で示したように回動をする。すると補助錠４５の上端部は室外側（紙面右側）へ倒れるように回動する。このように補助錠４５の倒れた姿勢で、室外側端部が障子３０の錠受け部３７の内側に入り、補助錠４５が施錠される。
【００４７】
図１１（ａ）に示した補助錠側連動部６５の配置の場合に、図中にＡ３で示したように紙面左側のワイヤ５１ｂが下方に、図中にＢ３で示したように紙面右側のワイヤ５１ｂが上方に移動すると、補助錠側回転子８０は反時計回りに回動しようとする。また、内側回転子７０も突起７７が一方の窪み８４に係合していることから補助錠側回転子８０に連動して回動しようとする。しかしこのとき内側回転子８０の係合板７９がケース９０の一方の被係合板９４に引っ掛かっているので、回動することができない。すると、内側突起７７がアーム７６とともに内側に押され、これまで係合していた一方の窪み８４から離脱して他方の窪み８４へ係合することにより、補助錠側回転子８０のみが図中にＣ３で示したように回動して図１１（ｂ）の配置となる。このとき、内側回転子７０は回動せずその姿勢を維持するので、補助錠４５も同じ姿勢を維持する。
【００４８】
図１２（ａ）に示した補助錠側連動部６５の配置の場合に、上述の補助錠解錠棒１０２が操作され、補助錠４５の被操作板４５ｂが図中にＦ４で示したように室外側に押されると、補助錠４５が倒れていた施錠状態から起き上がるように回動する。このとき、補助錠４５の棒４５ａは内側回転子７０の一方の係合壁７４に引っ掛かるように配置されているので、補助錠４５の回動に連動して内側回転子７０も回動しようとする。しかし、内側回転子７０の突起７７が補助錠側回転子８０の一方の窪み８４に係合し、補助錠側回転子８０が回動しないと回動することができない。一方、補助錠側回転子８０は、上述の通りワイヤ５１ｂを介して主錠４０と連動しており、このときには主錠４０は操作されていないので回動せず、よって補助錠側回転子８０も回動することができない。すると、内側突起７７がアーム７６とともに内側に押され、これまで係合していた一方の窪み８４から離脱して他方の窪み８４へ係合することにより、内側回転子７０のみが図中にＥ４で示したように回動する。これにより補助錠４５もＤ４で示したように回動し、図１２（ｂ）に示したような配置となる。
【００４９】
ここで、突起７７が窪み８４から離脱するために必要な力は、適切に調整されている。該力が強すぎると使用者が大きな力を与えないと操作することができなくなり、逆に該力が弱すぎると、簡単に離脱してしまい連動させるべき配置で離脱してしまう可能性があるからである。
【００５０】
以上のような各部材の動作により、主錠４０の施錠時には補助錠４５も連動して施錠され、主錠４０の解錠時には補助錠４５も連動して解錠されない連動機構５０を備えた開口部装置１を提供することができる。
【００５１】
次に、具体的に主錠４０の施解錠、補助錠４５の施解錠及びそのときの連動機構５０の動作について図１３〜図１７を参照しつつ説明する。各図において、上段に主錠側回転子６０、下段に補助錠側連動部６５及び補助錠４５を示した。各図における視点は、図９〜図１２と同じである。従って紙面左が室内側、紙面右が室外側である。また、図１３〜図１７においては、見易さのため一部部材を大きく表現したり省略したりして変形しているが、これらはこれまでの記述と何ら矛盾を生じさせるものではない。加えて、理解容易のため施解錠の別を図にも記述した。
【００５２】
（１）施錠操作
図１３（ａ）に示した各部材の配置で、主錠４０及び補助錠４５が解錠状態であるように主錠側回転子６０と補助錠側連動部６５とを設置する。この姿勢から主錠４０を施錠操作することにより主錠４０及び補助錠４５を連動させて施錠する。図１３（ａ）に示した状態から主錠４０を施錠操作すると、該操作に連動して回動する主錠側回転子６０が時計回りに回動する。これにより、図１０で説明したように、ワイヤ５１ｂを介して補助錠側回転子８０及び内側回転子７０も時計回りに回動する。このとき該補助錠側回転子８０及び内側回転子７０の回動を制限する部材等はなく、補助錠４５も係合壁７４には係合しないので、補助錠側連動部６５は図１３（ｂ）に示した状態に至る。そして図１３（ｂ）の状態からさらに主錠４０を施錠操作し、図１３（ｃ）に示したように主錠４０の施錠操作が完了するまでに、補助錠側回転子８０及び内側回転子７０もさらに時計回りに回動するとともに、係合壁７４に補助錠４５の棒４５ａが引っ掛かり、補助錠４５が時計回りに回動する。以上により補助錠４５の室外側端部が障子３０の錠受け部３７に差し込まれ補助錠４５が施錠される。
【００５３】
このような連動機構５０の動作により、主錠４０を施錠操作すると、連動して補助錠４５も自動的に施錠される。施錠操作は、その性質上、不正な侵入者等が行う操作ではないので、連動して施錠されることに防犯上の不具合はない。よって本発明は、使用者にとって利便性の高い連動機構５０を備えた開口部装置１を提供することができる。
【００５４】
（２）解錠操作（主錠解錠の次に補助錠解錠）
次に、主錠４０及び補助錠４５のいずれもが施錠状態であるときから主錠４０を解錠し、その後補助錠４５を解錠する場合の各部における動作を説明する。図１４（ａ）は、図１３（ｃ）と同じ状態であり、主錠４０及び補助錠４５のいずれもが施錠されているときの各部の配置を示した図である。この配置から、主錠４０を解錠操作すると、主錠側回転子６０が反時計回りに回動する。すると主錠側回転子６０の回動にワイヤ５１ｂを介して連動する補助錠側回転子８０も反時計回りに回動し、同時に内側回転子７０も連動して回動する。このとき、図１４（ｂ）、図１４（ｃ）に示したように、補助錠側回転子８０及び内側回転子７０の回動を制限するものはなく、これら２つの回転子７０、８０は、反時計回りに回動する。この際、補助錠４５の棒４５ａは、２つの係合壁７４、７４の間に配置されるので、他からの干渉を受けず施錠状態が保持される。一方、主錠４０は図１０（ｃ）の状態で、その解錠が完了する。
【００５５】
次に図１４（ｃ）の状態から補助錠４５を解錠する。上述のように、主錠４０は解錠され、補助錠４５は施錠状態を保持している。よって個別に補助錠４５を解錠する。図１５（ａ）は、図１４（ｃ）と同じ状態を示している。このような状態から補助錠解錠棒１０２を室外側に押し込むと、補助錠解錠棒１０２の室外側端部が補助錠４５の被操作板４５ｂを室外側に押し、図１５（ｂ）に示したように補助錠４５が回動する。これにより補助錠４５の上端部は、錠受け部３７から離脱して、補助錠４５が解錠される。このとき、棒４５ａは、係合壁７４、７４に引っ掛かることがないので、内側回転子７０は回動せず、よって主錠４０側も解錠状態が保持される。そして最終的に、図１５（ｃ）に示したように、主錠４０及び補助錠４５が解錠状態となる。図１５（ｃ）の各部材の配置は、図１３（ａ）と同じで、主錠４０と補助錠４５とを連動して施錠可能な状態にある。
【００５６】
以上のように、主錠４０及び補助錠４５のいずれもが施錠された状態から主錠４０を解錠しても補助錠４５は自動的には解錠されない。そして補助錠４５の解錠は個別に行う必要がある。このことは、解錠の性質上、その操作が煩雑であったほうが不正な侵入を防ぐことができ、防犯上優れたものとなる。よって本発明は、防犯性の高い連動機構５０を備えた開口部装置１を提供することができる。また、図２からもわかるように補助錠解錠棒１０２は、室外側からは死角の位置に配置されており、不正な侵入者がたとえ主錠４０を解錠しても、障子２０、３０が開かず、その理由も認識できず、この観点からも防犯性に優れた連動機構５０を備えた開口部装置１であるといえる。
【００５７】
（３）解錠操作（補助錠解錠の次に主錠解錠）
次に、主錠４０及び補助錠４５のいずれもが施錠状態であるときから補助錠４５を解錠し、その後主錠４０を解錠する場合の各部における動作を説明する。図１６（ａ）は、図１３（ｃ）と同じ状態であり、主錠４０及び補助錠４５のいずれもが施錠されているときの各部の配置を示した図である。この配置から、補助錠４５を解錠するために補助錠解錠棒１０２を室外側に押し込む。このとき補助錠４５の棒４５ａは一方の係合壁７４と係合している状態なので、内側回転子７０を反時計回りに回動させようとする。しかし、このときには図１２で説明したように、補助錠側回転子８０は、主錠４０が固定されていることにより回動することができないので、内側回転子７０のみが回動し、その突起７７が他方の窪み８４に移動する。これにより補助錠４５のみが解錠され、図１６（ｂ）に示した状態に至る。
【００５８】
次に図１６（ｂ）に示した状態から主錠４０の解錠操作を行う。図１７（ａ）は、図１６（ｂ）と同じ状態である。ここから主錠４０の解錠操作を行うと、主錠側回転子６０が反時計回りに回動する。このとき図１７（ｂ）に示したように、その途中までは補助錠側回転子８０及び内側回転子７０も主錠側回転子６０の回動に連動して反時計回りに回動する。この状態では、補助錠４５の棒４５ａは係合壁７４の干渉を受けずに回動するので、補助錠４５の解錠状態は保持される。図１７（ｂ）に示した状態からさらに主錠４０を解錠操作する。すると図１７（ｂ）の状態では内側回転子７０の係合板７９がケース９０の被係合板９４に引っ掛かって配置されており、図１１（ａ）に示した状態となっている。よって、図１１でも説明したように、このまま主錠４０を回動させると、内側回転子７０は回動できず、補助錠側回転子８０のみが回動する。このとき、内側回転子７０の突起７７が他方の窪み８４へ移動する。このようにして、最終的に図１７（ｃ）に示したように、主錠４０及び補助錠４５が解錠される。図１７（ｃ）の各部材の配置は、図１３（ａ）と同じで、主錠４０と補助錠４５とを連動して施錠可能な状態にある。
【００５９】
以上のように、主錠４０及び補助錠４５のいずれもが施錠された状態から補助錠４５を解錠しても主錠４０は自動的には解錠されない。そして主錠４０の解錠は個別に行う必要がある。このことは、解錠の性質上、その操作が煩雑であったほうが不正な侵入を防ぐことができ、防犯上優れたものとなる。よって本発明は、防犯性の高い連動機構５０を備えた開口部装置１を提供することができる。また、図２からもわかるように補助錠解錠棒１０２は、室外側からは死角の位置に配置されており、不正な侵入者がたとえ主錠４０を解錠しても、障子２０、３０が開かず、その理由も認識できずこの観点からも防犯性に優れた連動機構５０を備えた開口部装置１であるといえる。
【００６０】
以上のような動作で、主錠４０と補助錠４５との連動、非連動が決定される。ここで示した各部材の配置は一つの例であり、他の配置が適用される場合もある。例えば主錠の回動方向が反対である場合等を挙げることができる。このような場合には、適宜各部材の初期設定を変更することによって適切な連動、非連動が可能な連動機構となり、該連動機構を備えた開口部装置を提供することができる。
【００６１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００６２】
【図１】本発明の開口部装置を室内側から見た斜視図である。
【図２】室内側の召し合せ框を室内側から見た図である。
【図３】室外側の召し合せ框を室内側から見た図である。
【図４】連動機構の分解斜視図である。
【図５】内側回転子の斜視図である。
【図６】補助錠側回転子の斜視図である。
【図７】ケースの斜視図である。
【図８】補助錠の斜視図である。
【図９】連動機構、補助錠、補助錠解錠棒を含む正面図である。
【図１０】連動機構の１つの動作を説明するための正面図である。
【図１１】連動機構の他の動作を説明するための正面図である。
【図１２】連動機構の他の動作を説明するための正面図である。
【図１３】施錠操作における連動機構及び補助錠の動作を示す正面図である。
【図１４】主錠の解錠操作における連動機構及び補助錠の動作を示す正面図である。
【図１５】図１４（ｃ）の後に補助錠の解錠操作した場合の連動機構及び補助錠の動作を示す正面図である。
【図１６】補助錠の解錠操作における連動機構及び補助錠の動作を示す正面図である。
【図１７】図１６（ｂ）の後に主錠の解錠操作した場合の連動機構及び補助錠の動作を示す正面図である。
【図１８】従来の補助錠を備えた開口部装置の室内側斜視図である。
【符号の説明】
【００６３】
１  開口部装置
１０  枠体
２０  内障子
２３  室内側の召し合せ框（縦框）
３０  外障子
３４  室外側の召し合せ框（縦框）
４０  主錠
４５  補助錠
５０  連動機構
５１  ワイヤ部
５１ａ  ワイヤカバー
５１ｂ  ワイヤ
６０  主錠側回転子（主錠側連動部）
６５  補助錠側連動部
７０  内側回転子
８０  補助錠側回転子
９０ケース
１０２  補助錠解錠棒
【図１】
2007107270.tif 000003
【図２】
2007107270.tif 000004
【図３】
2007107270.tif 000005
【図４】
2007107270.tif 000006
【図５】
2007107270.tif 000007
【図６】
2007107270.tif 000008
【図７】
2007107270.tif 000009
【図８】
2007107270.tif 000010
【図９】
2007107270.tif 000011
【図１０】
2007107270.tif 000012
【図１１】
2007107270.tif 000013
【図１２】
2007107270.tif 000014
【図１３】
2007107270.tif 000015
【図１４】
2007107270.tif 000016
【図１５】
2007107270.tif 000017
【図１６】
2007107270.tif 000018
【図１７】
2007107270.tif 000019
【図１８】
2007107270.tif 000020